(57)【要約】  【課題】ケース内に収納される揺動体の揺動によりダイヤフラムを上下動させてポンプ動作を行う小型ポンプであって、前記ケースは下端部が段部を介して小筒部に形成されて成る小型ポンプに於て、前記揺動体が揺動時に前記段部に近接して発生する風切り音を低減して、低騒音化を図る。  【解決手段】ケース２内にポンプ室３を形成する複数のダイヤフラム４，４を備え、偏心回転軸１２により揺動される揺動体２０によって該ダイヤフラム４，４が上下動されてポンプ動作を行う小型ポンプ１９であって、前記ケース２の下端部が該下端部に固着されるモータケースに対応させて小筒部８ｂに形成され、該小筒部８ｂと該ケース２上部筒部８ａとの間に段部８ｃが形成された小型ポンプに於て、前記揺動体２０の下端外周部の前記段部８ｃ近傍を斜欠（斜欠面Ｃ）して、該揺動体２０の揺動時に該下端外周部と前記段部８ｃとの近接する間隙ｓを広げ、該揺動体２０が該段部８ｃ近傍を通過する時の風切り音を低減するように構成した小型ポンプを提供する。【選択図】図１
2005146942.tif 000002
【特許請求の範囲】
【請求項１】
ケース内にポンプ室を形成する複数のダイヤフラムを備え、偏心回転軸により揺動される揺動体によって該ダイヤフラムが上下動されてポンプ動作を行う小型ポンプであって、前記ケースの下端部が該下端部に固着されるモータケースに対応させて小筒部に形成され、該小筒部と該ケース上部筒部との間に段部が形成された小型ポンプに於て、前記揺動体の下端外周部の前記段部近傍を斜欠して、該揺動体の揺動時に該下端外周部と前記段部との近接する間隙を広げ、該揺動体が該段部近傍を通過する時の風切り音を低減するように構成したことを特徴とする小型ポンプ。
【請求項２】
上記ダイヤフラムは２個のダイヤフラムから成ることを特徴とする請求項１記載の小型ポンプ。
【発明の詳細な説明】
【技術分野】
【０００１】
本発明は、小型ポンプに関するものであり、特に、血圧計等に用いられ、且つ、ダイヤフラムを使用する小型ポンプに関するものである。
【背景技術】
【０００２】
此種小型ポンプを本願出願人は既に出願しており（特許文献１）、該小型ポンプについて図２及び図３に従って説明する。図２に於て、１は小型ポンプであり、該小型ポンプ１は平面視略長方形のケース２内にポンプ室３，３を形成する２個のダイヤフラム４，４が備えられ、該ダイヤフラム４，４の下方には、該ダイヤフラム４，４の下面を上下動させる平面視略長方形の揺動体５が配設されている。尚、前記ケース２は上ケース６と、中ケース７と、下ケース８の３段で構成され、前記ダイヤフラム４，４は該ダイヤフラム４，４の側方に突設して形成された鍔部４ａ，４ａ…が前記上ケース６と前記中ケース７との間に挟着されて前記ケース２に保持されている。
【０００３】
そして、前記揺動体５の左右端部には、中央部に空気導入孔９ａ，９ａが開穿された軸体９，９が上方に突設して設けられ、一方、前記各ダイヤフラム４，４の下面中心部に突設して中空状取付体１０，１０が夫々配設され、該中空状取付体１０，１０に前記軸体９，９を蜜嵌して前記ダイヤフラム４，４が前記揺動体５に取付けられている。
【０００４】
又、該ダイヤフラム４，４の底部中心部は前記空気導入孔９ａ，９ａに対応する位置で夫々一部切開されて、吸気弁部１１，１１が開閉自在に形成されている。
【０００５】
更に、前記揺動体５の中心部には該揺動体５を偏心回転により揺動させる偏心回転軸１２が貫通して固着されている。そして、モータ（図示せず）の回転駆動軸１３の上端部に固着されているプーリ１４に偏心して穿設された偏心穴１４ａに前記偏心回転軸１２の下端部が遊嵌されている。又、該偏心回転軸１２の上端部は前記中ケース７の中央部に穿設された凹部７ａに遊嵌されている。
【０００６】
一方、図３に示す如く、前記上ケース６の中央部に吐出孔１５が開穿されると共に、該上ケース６下面に前記各ダイヤフラム４，４の上端部を挿入するための環状凹溝１６，１６が形成され、且つ、前記吐出孔１５の外周部と該環状凹溝１６，１６の外周部とが互いに接触し、或いは、重なって空気連通口１７，１７が形成されている。
【０００７】
そして、前記ダイヤフラム４，４の上端部が前記環状凹溝１６，１６の内壁部１６ａ，１６ａに圧挿されて排気弁部１８，１８が構成されている。
【０００８】
又、前記下ケース８の下端部には該下端部に固着されるモータケース（図示せず）に対応させて該下ケース８の上部筒部８ａよりも長側辺が短く、短側辺が円弧状に形成された小筒部８ｂが形成され、該小筒部８ａの短側辺と該上部筒部８ａとの間に段部８ｃ，８ｃが形成されている。
【０００９】
而して、前記回転駆動軸１３の回転により前記プーリ１４が回転すると、前記偏心回転軸１２が偏心回転し、これによって前記揺動体５が揺動し、前記ダイヤフラム４，４の下端部を上下動させる。そして、例えば、一方のダイヤフラム４の下端部が下動された時、該ダイヤフラム４内は負圧になり、前記排気弁部１８が前記環状凹溝１６の前記内壁面１６ａに密着して閉じ、且つ、前記吸気弁部１１は開放され、前記空気導入孔９ａから前記ダイヤフラム４内へ吸気が行われる。
【００１０】
次に、該ダイヤフラム４の下端部が上動された時、該ダイヤフラム４内は高圧になり、前記吸気弁部１１が前記空気導入孔９ａを閉塞すると共に前記排気弁部１８が前記内壁面１６ａより拡径して排気が行われる。該排気弁部１８より排出された空気は前記環状凹溝１６及び前記空気連通口１７を通り、前記吐出孔１５から前記ケース２外に吐出される。
【特許文献１】特開２００３−５６４６８号公報
【発明の開示】
【発明が解決しようとする課題】
【００１１】
上記小型ポンプはケース内にポンプ室を形成する２つのダイヤフラムを備え、偏心回転軸により揺動される揺動体によって該ダイヤフラムが上下動されてポンプ動作を行うように構成されている。
【００１２】
然しながら、前記ケースの下ケースは下端部に小筒部が形成され、該小筒部の短側辺と上部筒部との間に段部が形成されているため、前記揺動体が揺動する時、該揺動体の下端外周部は該段部に近接して通過し、それによって風切り音が発生し、該風切り音が騒音となっていた。そして、該揺動体の下端外周部が該段部に近接する間隙が狭いほど風切り音は大きくなる傾向がある。
【００１３】
そこで、ケース内に収納される揺動体の揺動によりダイヤフラムを上下動させてポンプ動作を行う小型ポンプであって、前記ケースは下端部が段部を介して小筒部に形成されて成る小型ポンプに於て、前記揺動体が揺動時に前記段部に近接して発生する風切り音を低減して、低騒音化を図るために解決すべき技術的課題が生じてくるのであり、本発明はこの課題を解決することを目的とする。
【課題を解決するための手段】
【００１４】
本発明は上記目的を達成するために提案されたものであり、請求項１記載の発明は、  ケース内にポンプ室を形成する複数のダイヤフラムを備え、偏心回転軸により揺動される揺動体によって該ダイヤフラムが上下動されてポンプ動作を行う小型ポンプであって、前記ケースの下端部が該下端部に固着されるモータケースに対応させて小筒部に形成され、該小筒部と該ケース上部筒部との間に段部が形成された小型ポンプに於て、前記揺動体の下端外周部の前記段部近傍を斜欠して、該揺動体の揺動時に該下端外周部と前記段部との近接する間隙を広げ、該揺動体が該段部近傍を通過する時の風切り音を低減するように構成した小型ポンプを提供するものである。
【００１５】
この請求項１記載の発明によれば、前述したように前記揺動体の下端外周部を斜欠したことにより、該揺動体が前記段部近傍を通過する時の風切り音を低減することが可能となる。
【００１６】
又、請求項２記載の発明は、上記ダイヤフラムは２個のダイヤフラムから成る請求項１記載の小型ポンプを提供するものである。
【００１７】
この請求項２記載の発明によれば、２個のダイヤフラムから成る小型ポンプに於て、請求項１記載の効果が期待できる。
【発明の効果】
【００１８】
本発明の請求項１記載の発明は、ケースの下端部が該下端部に固着されるモータケースに対応させて小筒部に形成され、該小筒部と該ケース上部筒部との間に段部が形成された小型ポンプに於て、揺動体の下端外周部の前記段部近傍を斜欠して、該揺動体の揺動時に該下端外周部と前記段部との近接する間隙を広げたので、該揺動体が該段部近傍を通過する時の風切り音を低減することが可能となり、低騒音化を図ることができる。
【００１９】
又、請求項２記載の発明は、上記ダイヤフラムは２個のダイヤフラムから成るので、２個のダイヤフラムから成る小型ポンプに於て、請求項１記載の発明の効果と同様の効果が期待できる等、著大なる効果を奏する発明である。
【発明を実施するための最良の形態】
【００２０】
ケース内に収納される揺動体の揺動によりダイヤフラムを上下動させてポンプ動作を行う小型ポンプであって、前記ケースは下端部が段部を介して小筒部に形成されて成る小型ポンプに於て、前記揺動体が揺動時に前記段部に近接して発生する風切り音を低減して、低騒音化を図るという目的を前記段部近傍の前記揺動体の下端外周部を斜欠して、該段部と該揺動体の近接する間隙を広げることによって実現した。
【実施例１】
【００２１】
以下、本発明の一実施の形態を図１に従って詳述する。尚、説明の都合上、従来例と同一構成部分については同一符号を付してその説明を省略する。図１に於て、１９は小型ポンプであり、該小型ポンプ１９は従来例の小型ポンプ（図２に於て１）の揺動体（図２に於て５）に代えて揺動体２０を設けたものであり、該揺動体２０は、下ケース８に形成される段部８ｃ近傍に位置する該揺動体２０の下端外周部（図に於て左右下端部）を斜欠して斜欠面Ｃを形成し、該揺動体２０の揺動時に該揺動体２０と該段部８ｃとの近接する間隙ｓを広げ、該揺動体２０が該段部８ｃ近傍を通過する時の風切り音を低減するように構成したものである。
【００２２】
而して、前記小型ポンプ１９の作動について説明すると、回転駆動軸１３の回転によりプーリ１４が回転すると、偏心回転軸１２が偏心回転し、これによって前記揺動体２０が揺動し、ダイヤフラム４，４の下端部を上下動させる。そして、例えば、一方のダイヤフラム４の下端部が下動された時、該ダイヤフラム４内は負圧になり、排気弁部１８が環状凹溝１６の内壁面１６ａに密着して閉じ、且つ、吸気弁部１１は開放され、空気導入孔９ａから前記ダイヤフラム４内へ吸気が行われる。
【００２３】
次に、該ダイヤフラム４の下端部が上動された時、該ダイヤフラム４内は高圧になり、前記吸気弁部１１が前記空気導入孔９ａを閉塞すると共に排気弁部１８が前記内壁面１６ａより拡径して排気が行われる。該排気弁部１８より排出された空気は前記環状凹溝１６及び空気連通口１７を通り、吐出孔１５からケース２外に吐出される。
【００２４】
又、前記揺動体２０はその揺動時に該揺動体２０の下端外周部が前記下ケース８の段部８ｃに近接して通り抜けるが、該揺動体２０の下端外周部は前述の如く斜欠されて斜欠面Ｃが形成されているので、該斜欠面Ｃと前記段部８ｃの近接する間隙ｓは従来例の揺動体が用いられる場合に比較して広くなっており、従って、該揺動体２０の下端外周部が該段部８ｃ近傍を通過する時の風切り音を低減することができる。
【００２５】
斯くして、前記小型ポンプ１９は前述したように前記揺動体２０の下端外周部が斜欠されて斜欠面Ｃが形成され、該斜欠面Ｃと前記ケース２に形成された段部８ｃとの近接する間隙ｓが広くなることから、該揺動体２０の下端外周部が該段部８ｃ近傍を通過する時の風切り音を低減することができ、該小型ポンプ１９の低騒音化を図ることができる。
【００２６】
尚、前記小型ポンプ１９に於ては前記揺動体２０の下端外周部を斜欠して、前記段部８ｃとの間隙ｓを広げたが、これに代えて、前記段部８ｃの位置を更に下方に下げて該間隙ｓを広げることも可能であり、或いは、該段部８ｃを斜欠して該間隙ｓを広げることも可能である。そして、然る時も、風切り音を低減することができ、小型ポンプ１９の低騒音化を図ることができる。
【００２７】
又、本発明は、本発明の精神を逸脱しない限り種々の改変を為すことができ、そして、本発明が該改変されたものに及ぶことは当然である。
【図面の簡単な説明】
【００２８】
【図１】本発明の一実施の形態を示し、小型ポンプの正面切断断面図。
【図２】従来例を示し、小型ポンプの正面切断断面図。
【図３】従来例を示し、小型ポンプの上ケースの裏面図。
【符号の説明】
【００２９】
２    ケース
３    ポンプ室
４    ダイヤフラム
８ａ  上部筒部
８ｂ  小筒部
８ｃ  段部
１２    偏心回転軸
１９    小型ポンプ
２０    揺動体
ｓ    間隙
【図１】
2005146942.tif 000003
【図２】
2005146942.tif 000004
【図３】
2005146942.tif 000005